(57)【要約】      （修正有）【課題】折り鶴及び絵ハガキの展示において、簡単な折畳み式構造の安価なものとし、折り鶴及び絵ハガキが、着脱自在にて展示状態が安定する装着体を提供する。【解決手段】配設した互いに平行する３本の開閉自在なる折り目のうちの中央折り目を山折りし、左右折り目は谷折りして形成される逆Ｔ字形の装着体の双角直立部１１及び水平部１２のうち、双角直立部を折り鶴１に立設した首及び尾の折畳み溝１ｃ、１ｄ内に挟着するとともに、上下台紙２５、２６を併設した装着台の上台紙２５に配設した長孔２８に双角直立部を嵌通し、水平部を上下台紙間に挿着して、折り鶴は装着体に着脱自在に装着され、装着体１０は装着台２３に着脱自在に固着され、また、一対の台脚板３１、３２を下方向に開放した台座２２を、下台紙２６に付設した装着台は、一段高く展示され、また、上台紙２５に配設した分割線をもって、装着台上に載置する絵ハガキの周辺の一部を上下台紙間に挿着するところの挿入口とし、絵ハガキも着脱自在に装着される。【選択図】図１５
0003227057.tif 000002
【実用新案登録請求の範囲】
【請求項１】
中央折り目が左右折り目間を二等分するところの互いに平行する３本の開閉自在なる折り目を配設し、弾力性を有する材料からなる装着板を、前記中央折り目にて山折りして形成される一対の中央板を二重構造とした直立部と、前記左右折り目にて谷折りして形成される一対の端板が並設された水平部をもって逆Ｔ字形の断面形状とし、折り鶴に傾斜をもって立設した首及び尾のうちの、片方の首又は尾の折畳み溝内に前記直立部を挟着した装着体。
【請求項２】
前記直立部の上下辺上に位置するところの台形上下底と、前記折り鶴の傾斜した首及び尾の折畳み溝内に沿ったところの対向する台形左右脚による逆台形の欠成部を、前記直立部に設けて形成される双角直立部を、前記折り鶴の首及び尾の折畳み溝内に挟着した請求項１記載の装着体。
【請求項３】
四辺形の上台紙の対向する二辺のうち、一方の辺には前記上台紙と同等なる大きさの下台紙を開閉自在なる折り目をもって重ね合わせ、他方の辺には開閉自在なる折り目をもってのり代を設けて前記下台紙に接着するとともに、前記直立部の水平断面形状とほぼ同等なる大きさの長孔を前記上台紙に配設した、弾力性を有する材料からなる装着台の前記上下台紙間に、前記水平部を挿着するとともに、前記直立部又は前記双角直立部を前記長孔に嵌通した請求項１又は２記載の装着体。
【請求項４】
前記装着台の前記上台紙に絵ハガキを載置し、前記上台紙の対向する二辺を結ぶ分割線を前記絵ハガキの周辺の一部の挿入口として、前記絵ハガキの周辺の一部を前記上下台紙間に挿着した請求項３記載の装着台。
【請求項５】
弾力性を有する材料からなる四辺形の連結板の対向する二辺の延長に、開閉自在なる折り目をもって一対の台脚板を付設した台座の前記連結板を、前記装着台の前記下台紙に、前記台脚板を下方向に開放した状態にて接着した請求項３又は４記載の装着台。
【考案の詳細な説明】
【技術分野】
【０００１】  本考案は、折り鶴及び絵ハガキの展示における装着体に関するものである。
【背景技術】
【０００２】  従来の折り鶴及び絵ハガキの展示において、材質が紙製にて軽量であるとともに、中でも折り鶴は複雑な構造であり、自立するには小さすぎる底部形状等の理由から、折り鶴及び絵ハガキが安定状態になり難いという問題があった。
【考案の概要】
【考案が解決しようとする課題】
【０００３】  折り鶴及び絵ハガキの材質・形状等より、安定状態にて展示するためには、ある程度、複雑・堅固な構造となり高価なものとなっていたが、簡単な折畳み式構造からなる安価なものとし、折り鶴及び絵ハガキが着脱自在にて展示状態が安定するところの装着体を得ることを目的とする。
【課題を解決するための手段】
【０００４】  本考案の第一の課題解決手段は、中央折り目が左右折り目間を二等分するところの互いに平行する３本の開閉自在なる折り目を配設し、弾力性を有する材料からなる装着板を、中央折り目にて山折りして形成される一対の中央板を二重構造とした直立部と、左右折り目にて谷折りして形成される一対の端板が並設された水平部をもって逆Ｔ字形の断面形状とし、折り鶴に傾斜をもって立設した首及び尾のうちの、片方の首又は尾の折畳み溝内に直立部を挟着して、折り鶴を固着した装着体とするものである。【０００５】  本考案の第二の課題解決手段は、上述の第一の課題解決手段となる装着体において、直立部の上下辺上に位置するところの台形上下底と、折り鶴の傾斜した首及び尾の折畳み溝内に沿ったところの対向する台形左右脚による逆台形の欠成部を、直立部に設けて形成される双角直立部を、折り鶴の首及び尾の折畳み溝内に挟着した装着体とするものである。【０００６】  本考案の第三の課題解決手段は、上述の第一又は第二の課題解決手段となる装着体において、四辺形の上台紙の対向する二辺のうち、一方の辺には上台紙と同等なる大きさの下台紙を開閉自在なる折り目をもって重ね合わせ、他方の辺には開閉自在なる折り目をもってのり代を設けて下台紙に接着するとともに、直立部の水平断面形状とほぼ同等なる大きさの長孔を上台紙に配設した、弾力性を有する材料からなる装着台の上下台紙間に、水平部を挿着するとともに、直立部又は双角直立部を長孔に嵌通した装着体とするものである。【０００７】  本考案の第四の課題解決手段は、上述の第三の課題解決手段となる装着台において、装着台の上台紙に絵ハガキを載置し、上台紙の対向する二辺を結ぶ分割線を、絵ハガキの周辺の一部の挿入口として、絵ハガキの周辺の一部を上下台紙間に挿着した装着台とするものである。【０００８】  本考案の第五の課題解決手段は、上述の第三又は第四の課題解決手段となる装着台において、弾力性を有する材料からなる四辺形の連結板の対向する二辺の延長に、開閉自在なる折り目をもって一対の台脚板を付設した台座の連結板を、装着台の下台紙に、台脚板を下方向に開放した状態にて接着した装着台とするものである。
【考案の効果】
【０００９】  上述の様に第一の考案効果は、中央折り目が左右折り目間を二等分するところの互いに平行する３本の開閉自在なる折り目を配設し、弾力性を有する材料からなる装着板を、中央折り目にて山折りして形成される一対の中央板を二重構造とした直立部と、左右折り目にて谷折りして形成される一対の端板が並設された水平部をもって逆Ｔ字形の断面形状とし、折り鶴に傾斜をもって立設した首及び尾のうちの、片方の首又は尾の折畳み溝内に直立部を挟着して、折り鶴を固着して、装着体は開閉自在なる折り目をもって折畳み式として、簡単な構造にて安価なものになるとともに、折り鶴の首又は尾が装着体に固着され、折り鶴が着脱自在にて展示される装着体となる。【００１０】  また、第二の考案効果は、上述の第一の考案効果となる装着体において、直立部の上下辺上に位置するところの台形上下底と、折り鶴の傾斜した首及び尾の折畳み溝内に沿ったところの対向する台形左右脚による逆台形の欠成部を、直立部に設けて形成される双角直立部を、折り鶴の首及び尾の折畳み溝内に挟着して、折り鶴の首及び尾の両方が装着体に固着され、折り鶴の展示状態がより安定するところの装着体となる。【００１１】  また、第三の考案効果は、上述の第一又は第二の考案効果となる装着体において、四辺形の上台紙の対向する二辺のうち、一方の辺には上台紙と同等なる大きさの下台紙を開閉自在なる折り目をもって重ね合わせ、他方の辺には開閉自在なる折り目をもってのり代を設けて下台紙に接着するとともに、直立部の水平断面形状とほぼ同等なる大きさの長孔を上台紙に配設した、弾力性を有する材料からなる装着台の上下台紙間に、水平部を挿着するとともに、直立部又は双角直立部を長孔に嵌通して、装着体が装着台に着脱自在にて固着されて安定することとなり、折り鶴の展示状態がより安定するところの装着体となる。【００１２】  また、第四の考案効果は、上述の第三の考案効果となる装着台において、装着台の上台紙に絵ハガキを載置し、上台紙の対向する二辺を結ぶ分割線を絵ハガキの周辺の一部の挿入口として、絵ハガキの周辺の一部を上下台紙間に挿着して、装着台の上台紙に配設した分割線が挿入口となり、絵ハガキが着脱自在に装着される装着台となる。【００１３】  また、第五の考案効果は、上述の第三又は第四の考案効果となる装着台において、弾力性を有する材料からなる四辺形の連結板の対向する二辺の延長に、開閉自在なる折り目をもって一対の台脚板を付設した台座の連結板を、装着台の下台紙に、台脚板を下方向に開放した状態にて接着して、装着台に付設した台座の台脚板により、折り鶴及び絵ハガキの展示状態が一段高くなるところの装着台となる。【００１４】
【図面の簡単な説明】
【００１５】
【図１】本考案の実施の形態１を示す装着体の展開図である。
【図２】同装着体の正面図である。
【図３】同装着体の側面図である。
【図４】同折り鶴を装着した装着体の正面図である。
【図５】同折り鶴を装着した装着体の側面より見た要部断面図である。
【図６】同折り鶴を装着した装着体の斜視図である。
【図７】本考案の実施の形態２を示す装着体の展開図である。
【図８】同装着体の正面図である。
【図９】同装着体の側面図である。
【図１０】同折り鶴を装着した装着体の側面より見た要部断面図である。
【図１１】同折り鶴を装着した装着体の斜視図である。
【図１２】本考案の実施の形態３を示す装着台の平面図である。
【図１３】同装着台の展開図である。
【図１４】同台座の展開図である。
【図１５】同台座付の装着台に固着され、折り鶴を装着した装着体の側面より見た要部断面図である。
【図１６】同台座付の装着台に固着され、折り鶴を装着した装着体の斜視図である。
【図１７】本考案の実施の形態４を示す装着台の平面図である。
【図１８】同装着台の展開図である。
【図１９】同絵ハガキの平面図である。
【図２０】同台座付にて、絵ハガキを装着した装着台に固着され、折り鶴を装着した装着体の側面より見た要部断面図である。
【図２１】同台座付にて、絵ハガキを装着した装着台に固着され、折り鶴を装着した装着体の斜視図である。
【考案を実施するための形態】
【００１６】  以下、本考案の実施の形態を実施例にもとづき図面を参照して説明する。
【実施例１】
【００１７】  実施の形態１を示す図１〜６において、折り鶴１の首１ａの折畳み溝１ｃ内に、装着体２の直立部３を挟着する実施例である。【００１８】  弾力性を有するところの厚み０．４ｍｍ程度の厚紙よりなり、装着体２を展開したところの四辺５ａ〜５ｄからなる四辺形の装着板５には、互いに平行するところの開閉自在なる３本の折り目５ｅ〜５ｇを配設しており、このうちの左右折り目５ｅ・５ｇは装着板５の左右辺５ｂ・５ｄにそれぞれ平行しており、また、この左右折り目５ｅ・５ｇ間を２等分するのが中央折り目５ｆとしている。【００１９】  なお、装着板５の中央折り目５ｆを山折りし、左右折り目５ｅ・５ｇは谷折りするならば、装着板５の一対の中央板６・７が二重に重ね合わされた四辺３ａ〜３ｄからなる直立部３、及び、両端の一対の端板８・９が並設された水平部４からなるところの逆Ｔ字形の断面形状に形成された装着体２となる。【００２０】  したがって、折り鶴１に立設した首１ａ及び尾１ｂのうち、首１ａの折畳み溝１ｃ内に、水平部４をもって直立するところの装着体２の直立部３を挟着するならば、装着体２は開閉自在なる折り目５ｅ〜５ｇをもって折畳み式として、簡単な構造にて安価なものになるとともに、折り鶴１が装着体２に固着され、折り鶴１が着脱自在にて展示される装着体２となる。【００２１】  上述の実施例において、装着板５の材質を、厚み０．４ｍｍ程度の厚紙としているが、弾力性を有するプラスチック板でもよい。【００２２】  また、四辺３ａ〜３ｄからなる直立部３において、上下辺３ａ・３ｃは折り鶴１の底辺１ｅの長さとほぼ同等とし、左右辺３ｂ・３ｄは折り鶴１の首１ａの長さの約半分としているが、折り鶴１が確実に固着されるのであれば、この大きさに限定するものではない。【００２３】  また、装着板５は長方形にて、左右折り目５ｅ・５ｇは装着板５の左右辺５ｂ・５ｄにそれぞれ平行となっているが、外形形状は長方形に限定しない多角形や曲線をもつものであってもよいし、左右折り目５ｅ・５ｇが装着板５の左右辺５ｂ・５ｄにそれぞれ平行となる必要もないが、３本の左右折り目５ｅ・５ｇと中央折り目５ｆは互いに平行としなければならない。【００２４】  また、折り鶴１の首１ａ及び尾１ｂのうち、首１ａの折畳み溝１ｃ内に装着体２の直立部３を挟着しているが、尾１ｂの折畳み溝１ｄ内に装着体２の直立部３を挟着してもよいことは言うまでもない。
【実施例２】
【００２５】  実施の形態２を示す図７〜１１において、折り鶴１の首１ａ及び尾１ｂの折畳み溝１ｃ・１ｄ内に、装着体１０の双角直立部１１を挟着する実施例である。【００２６】  装着体１０は、上述の実施例１の装着体２と同等であり、装着板１６、中央折り目１６ｆ、左右折り目１６ｅ・１６ｇ、中央板１７・１８、端板１９・２０、双角直立部１１、水平部１２、四辺１１ａ〜１１ｄ・１６ａ〜１６ｄは、上述の実施例１の装着体２における装着板５、中央折り目５ｆ、左右折り目５ｅ・５ｇ、中央板６・７、端板８・９、直立部３、水平部４、四辺３ａ〜３ｄ・５ａ〜５ｄにそれぞれ相当するものであるが、上述の実施例１における装着体２の直立部３は、折り鶴１の首１ａと尾１ｂのうち、首１ａの折畳み溝１ｃ内のみに挟着しており、実施例２においては、折り鶴１の首１ａ及び尾１ｂの両方の折畳み溝１ｃ・１ｄ内に、双角直立部１１の前直立部１３と後直立部１４をそれぞれ挟着するものであり、双角直立部１１の上下辺１１ａ・１１ｃ上に位置するところの逆台形上下底１５ａ・１５ｃと、折り鶴１の傾斜した首１ａ及び尾１ｂの折畳み溝１ｃ・１ｄ内に沿ったところの対向する逆台形左右脚１５ｂ・１５ｄにより形成される逆台形なる欠成部１５をもって、実施例１の直立部３中央を切欠して、実施例１の直立部３が、前直立部１３と後直立部１４に分割されたところの双角直立部１１となっている。【００２７】  装着体１０を展開した装着板１６の中央には、欠成部１５を展開して形成されるところの六辺切欠孔２１を設けており、この六辺切欠孔２１は、装着板１６の左右折り目１６ｅ・１６ｇ上に配設された、逆台形下底１５ｃと同等なる大きさの一対の左右辺２１ｂ・２１ｅと、この左右辺２１ｂ・２１ｅの両端２１ｇ・２１ｈ及び２１ｉ・２１ｊを、間隔が逆台形上底１５ａの大きさとなる中央折り目１６ｆ上の二点１６ｈ・１６ｉに結ぶところの、二対の上下斜辺２１ａ・２１ｃと２１ｆ・２１ｄにより形成されている。【００２８】  したがって、折り鶴１の首１ａ及び尾１ｂの折畳み溝１ｃ・１ｄ内に、水平部１２をもって直立するところの装着体１０の、双角直立部１１の前直立部１３と後直立部１４をそれぞれ挟着するならば、装着体１０は開閉自在なる折り目１６ｅ〜１６ｇをもって折畳み式として、簡単な構造にて安価なものになるとともに、折り鶴１の首１ａ及び尾１ｂの両方が装着体１０に固着され、折り鶴１が着脱自在にて展示状態がより安定する装着体１０となる。【００２９】  上述の実施例において、双角直立部１１は、逆台形をもって上述の実施例１の直立部３中央を切欠しているが、必ず逆台形に限定するものではなく、折り鶴１の安定状態は劣ることとなるが、上下辺を逆台形上底１５ａの大きさとするところの四辺形等としてもよい。
【実施例３】
【００３０】  実施の形態３を示す図１２〜１６において、上述の実施例２の装着体１０を、台座２２付の装着台２３に固着する実施例である。【００３１】  装着台２３を展開したところの装着台板２４は、弾力性を有するところの厚み０．２ｍｍ程度の普通紙にて、四辺２４ａ〜２４ｄによる四辺形からなり、上下辺２４ａ・２４ｃに平行して開閉自在なる２本の上下折り目２４ｅ・２４ｆを配設し、この上辺２４ａと上折り目２４ｅ間をのり代２７、２本の上下折り目２４ｅ・２４ｆ間を上台紙２５、下折り目２４ｆと下辺２４ｃ間を下台紙２６としており、この上台紙２５と下台紙２６を下折り目２４ｆをもって重ね合わせて、上折り目２４ｅをもって折り曲げたのり代２７を合成接着剤にて下台紙２６に接着して四辺２３ａ〜２３ｄからなる装着台２３としている。【００３２】  また、装着台板２４の上台紙２５には、上述の実施例１の直立部３の水平断面形状とほぼ同等なる大きさの長孔２８を、右辺２４ｄと上折り目２４ｅが交わる角２４ｇより４５度の角度でもって配設している。【００３３】  台座２２を展開したところの台座板２９は、弾力性を有するところの厚み０．２ｍｍ程度の普通紙にて、四辺２９ａ〜２９ｄによる四辺形からなり、上下辺２９ａ・２９ｃに平行して開閉自在なる２本の上下折り目２９ｅ・２９ｆを配設し、上辺２９ａと上折り目２９ｅ間を上台脚板３１、下辺２９ｃと下折り目２９ｆ間を下台脚板３２とし、上下折り目２９ｅ・２９ｆ間を連結板３０としている。【００３４】  したがって、装着台２３の左右辺２３ｂ・２３ｄのうち、長孔２８が近い位置となる右辺２３ｄにおいて、弾力性を有する上下台紙２５・２６をそれぞれ彎曲させて、重なり合った上下台紙２５・２６間のスキマを拡大して装着体１０を滑り込ませ、この装着体１０の水平部１２が、装着台２３の上下辺２３ａ・２３ｃに位置するところの対向する一対の折畳み溝２３ｅ・２３ｆ内に収まり、上下台紙２５・２６間に密着するとともに、双角直立部１１を上台紙２５の長孔２８内に挿入するならば、装着体１０は台座２２付の装着台２３に着脱自在にて固着されて、装着台２３の長孔２８に挿入するところの双角直立部１１が安定することになり、折り鶴１の展示状態がより安定する装着体１０となる。【００３５】  また、台座２２の連結板３０を、装着台２３の下台紙２６に合成接着剤にて接着し、一対の上下台脚板３１・３２を好みの角度をもって下方向に開放するならば、装着台２３は好みの高さに浮上することとなり、折り鶴１の展示状態が一段高くなるところの装着体１０となる。【００３６】  上述の実施例において、装着台板２４及び台座板２９の材質を、厚み０．２ｍｍ程度の普通紙としているが、弾力性を有するプラスチック板でもよい。【００３７】  また、装着台２３には一つの装着体１０を固着しているが、二つ以上の装着体１０を固着して、二つ以上の折り鶴１を展示してもよい。【００３８】  また、装着台２３において、装着台板２４ののり代２７を下台紙２６に接着しているが、接着しなくても装着台として安定するのであれば、必ず接着する必要はなく、上台紙２５・下台紙２６・のり代２７を三重に重ね合わせたものとしてもよいし、また、上台紙２５・下台紙２６だけで安定するのであれば、のり代２７を取り除いてもよいし、もちろん、上台紙２５だけで安定するのであれば、さらに下台紙２６を取り除いてもよいことは言うまでもない。【００３９】  また、台座２２における上下台脚板３１・３２は、台座板２９の上下折り目２９ｅ・２９ｆに沿って付設しているが、四辺のうちのコ字形の三辺を分割線とし、残る一辺に配設した開閉自在なる折り目をもって下方向に開放するところの四辺形からなる個別台脚板とし、この個別台脚板を装着台２３の下台紙２６に、必要最小限の数量をもって配設して台座２２を不要としてもよいし、さらに、上述の四辺形からなる個別台脚板を、弓形の弧を分割線にして弦を折り目とするとか、又は、三角形の逆Ｖ字形斜辺を分割線にして底辺を折り目にしてもよい。【００４０】  また、装着体１０の水平部１２が、装着台２３の対向する一対の折畳み溝２３ｅ・２３ｆ内に収まるのであれば、装着台２３に装着体１０を配設する位置関係は限定されるものではなく、長孔２８の配設も、右辺２４ｄと上折り目２４ｅが交わる角２４ｇより４５度の角度の位置に限定することはない。
【実施例４】
【００４１】  実施の形態４を示す図１７〜２１において、上述の実施例２の装着体１０を固着するとともに、上述の実施例３の台座２２を付設した装着台３３に、絵ハガキ４０を装着する実施例である。【００４２】  絵ハガキ４０は、四辺４０ａ〜４０ｄからなり、対向する長辺４０ａ・４０ｃに沿った方向の両端を、対向する左右端部４０ｅ・４０ｆとしている。【００４３】  装着台３３は、上述の実施例３の装着台２３と同等であり、装着台板３４、上台紙３５、下台紙３６、のり代３７、四辺３３ａ〜３３ｄ・３４ａ〜３４ｄ、上折り目３４ｅ、下折り目３４ｆ、長孔３８、折畳み溝３３ｅ・３３ｆは、上述の実施例３の装着台２３における装着台板２４、上台紙２５、下台紙２６、のり代２７、四辺２３ａ〜２３ｄ・２４ａ〜２４ｄ、上折り目２４ｅ、下折り目２４ｆ、長孔２８、折畳み溝２３ｅ・２３ｆにそれぞれ相当するものであるが、装着台３３の対向する一対の折畳み溝３３ｅ・３３ｆ間は、上台紙３５上に載置された絵ハガキ４０の右端部４０ｆがスムーズに出し入れができる大きさとし、また、上台紙３５には、上折り目３４ｅと下折り目３４ｆを結ぶところの分割線３９を配設している。【００４４】  したがって、装着体１０は台座２２付の装着台３３に固着されて、装着台３３の長孔３８に挿入するところの双角直立部１１が安定することになり、折り鶴１の展示状態がより安定するとともに、折り鶴１の展示状態が一段高くなるところの装着体１０となる。【００４５】  また、上台紙３５上に載置された絵ハガキ４０の右端部４０ｆを、装着台３３の分割線３９を挿入口として上下台紙３５・３６間に挿入するならば、絵ハガキ４０の対向する長辺４０ａ・４０ｃの一部が、装着台３３の対向する折畳み溝３３ｅ・３３ｆ内に止着されて、絵ハガキ４０が着脱自在にて展示状態が安定するところの装着台３３に固着された装着体１０となる。【００４６】  上述の実施例において、絵ハガキ４０の右端部４０ｆを、装着台３３の上下台紙３５・３６間に挿入しているが、この時、右端部４０ｆが装着体１０に接触して、挿入に支障を生じるようであれば、絵ハガキ４０の右端部４０ｆを、装着体１０の水平部１２と、下台紙３６の間に挿入しても問題はない。【００４７】  また、装着台３３には絵ハガキ４０を載置しているが、この絵ハガキ４０は、好みの絵や写真からなるアートカードやカレンダー等であってもよいことは言うまでもない。
【符号の説明】
【００４８】                １  折り鶴
２、１０  装着体
３  直立部
４、１２  水平部
５、１６  装着板
６、７、１７、１８  中央板
８、９、１９、２０  端板
１１  双角直立部
１３  前直立部
１４  後直立部
１５  欠成部
２１  六辺切欠孔
２２  台座
２３、３３  装着台
２４、３４  装着台板
２５、３５  上台紙
２６、３６  下台紙
２７、３７  のり代
２８、３８  長孔
２９  台座板
３０  連結板
３１  上台脚板
３２  下台脚板
３９  分割線
４０  絵ハガキ
【図１】
0003227057.tif 000003
【図２】
0003227057.tif 000004
【図３】
0003227057.tif 000005
【図４】
0003227057.tif 000006
【図５】
0003227057.tif 000007
【図６】
0003227057.tif 000008
【図７】
0003227057.tif 000009
【図８】
0003227057.tif 000010
【図９】
0003227057.tif 000011
【図１０】
0003227057.tif 000012
【図１１】
0003227057.tif 000013
【図１２】
0003227057.tif 000014
【図１３】
0003227057.tif 000015
【図１４】
0003227057.tif 000016
【図１５】
0003227057.tif 000017
【図１６】
0003227057.tif 000018
【図１７】
0003227057.tif 000019
【図１８】
0003227057.tif 000020
【図１９】
0003227057.tif 000021
【図２０】
0003227057.tif 000022
【図２１】
0003227057.tif 000023
【手続補正書】
【提出日】令和2年3月26日(2020.3.26)
【手続補正１】
【補正対象書類名】実用新案登録請求の範囲
【補正対象項目名】全文
【補正方法】変更
【補正の内容】
【実用新案登録請求の範囲】
【請求項１】
中央折り目が左右折り目間を二等分するところの互いに平行する３本の開閉自在なる折り目を配設し、弾力性を有する材料からなる装着板を、前記中央折り目にて山折りして形成される一対の中央板を二重構造とした直立部と、前記左右折り目にて谷折りして形成される一対の端板が並設された水平部をもって逆Ｔ字形の断面形状とし、折り鶴に傾斜をもって立設した首及び尾のうちの、片方の首又は尾の折畳み溝内に前記直立部を挟着した装着体。
【請求項２】
前記直立部の上下辺上に位置するところの台形上下底と、前記折り鶴の傾斜した首及び尾の折畳み溝内に沿ったところの対向する台形左右脚による逆台形の欠成部を、前記直立部に設けて形成される双角直立部を、前記折り鶴の首及び尾の折畳み溝内に挟着した請求項１記載の装着体。
【請求項３】
四辺形の上台紙の対向する二辺のうち、一方の辺には前記上台紙と同等なる大きさの下台紙を開閉自在なる折り目をもって重ね合わせ、他方の辺には開閉自在なる折り目をもってのり代を設けて前記下台紙に接着するとともに、前記直立部の水平断面形状とほぼ同等なる大きさの長孔を前記上台紙に配設した、弾力性を有する材料からなる装着台の前記上下台紙間に、前記水平部を挿着するとともに、前記双角直立部を前記長孔に嵌通した請求項２記載の装着体。
【請求項４】
前記装着台の前記上台紙に絵ハガキを載置し、前記上台紙の対向する二辺を結ぶ分割線を前記絵ハガキの周辺の一部の挿入口として、前記絵ハガキの周辺の一部を前記上下台紙間に挿着した請求項３記載の装着台。
【請求項５】
弾力性を有する材料からなる四辺形の連結板の対向する二辺の延長に、開閉自在なる折り目をもって一対の台脚板を付設した台座の前記連結板を、前記装着台の前記下台紙に、前記台脚板を下方向に開放した状態にて接着した請求項３又は４記載の装着台。